(57)【要約】【課題】授乳期の産婦が母乳の漏れを防ぐために使用する母乳パッドを確実に保持することができ、１つのカップ部を開いて乳房を露出して授乳している最中に、逆側の乳房を別のカップ部により確実に覆うことにより、逆側の乳房から母乳が漏れ出ることを防ぐことができる授乳しやすい授乳用ブラジャーを提供する。【解決手段】乳房に当接する左右のカップ部20，21と、両脇部23と、両脇部23と一体化された肩紐部24，25を有し、装着した状態で左右のカップ部20，21が乳房を露出可能に構成されて、左右のカップ部20，21の内面には、母乳パッド150を保持するための母乳パッドの保持部100，101が形成されており、母乳パッドの保持部100，101は、左右のカップ部20，21の内面部81と、下端が左右のカップ部20，21の内面部に固定されており、上端が自由端とされて、中央部が下方に突出した湾曲状のポケット部200，201と、により構成されている。【選択図】図１
2005163205.tif 000002
【特許請求の範囲】
【請求項１】
乳房に当接する左右のカップ部と、
前記左右のカップ部からそれぞれ側方に延伸された両脇部と、
前記左右のカップ部から上方に延伸されて、背面において前記両脇部と一体化された肩紐部と、を有する授乳用ブラジャーであって、
装着した状態で前記左右のカップ部が前記乳房を露出可能に構成されて、
前記左右のカップ部の内面には、母乳パッドを保持するための母乳パッドの保持部が形成されており、
前記母乳パッドの保持部は、
前記左右のカップ部の内面部と、
下端が前記左右のカップ部の内面部に固定されており、上端が自由端とされて、中央部が下方に突出した湾曲状のポケット部と、
により構成されていることを特徴とする授乳用ブラジャー。
【請求項２】
少なくとも前記湾曲状のポケット部は、吸収性を有していることを特徴とする請求項１に記載の授乳用ブラジャー。
【請求項３】
前記湾曲状のポケット部の両端部は、前記湾曲状のポケット部の中央部から徐々に高さが低くなるように形成されていることを特徴とする請求項１に記載の授乳用ブラジャー。
【請求項４】
前記湾曲状のポケット部は、前記装着状態において外方に位置する外方部と、前記装着状態において内方に位置する内方部とを有しており、前記外方部が、前記内方部に比べて高い位置まで延伸されていることを特徴とする請求項１に記載の授乳用ブラジャー。
【請求項５】
前記左右のカップ部は、それぞれカップ部本体を有し、前記カップ部本体の内側に前記カップ部の内面層が配置されることで空間が形成されており、前記空間には立体パッドが着脱可能に挿入されていることを特徴とする請求項１に記載の授乳用ブラジャー。
【請求項６】
前記左右のカップ部と前記両脇部および前記肩紐部が一体化されており、
前記左右のカップ部の中間領域が開閉手段によって開閉可能とされ、
前記左右のカップ部の中間領域における内側には、下縁側に沿って保持ベルト部が形成されており、
前記保持ベルト部は、
弾性を有して、それぞれ一方の端部が左右の前記カップ部の中間領域の近傍にそれぞれ固定されている一方のベルト本体と他方のベルト本体と、
前記一方のベルト本体と他方のベルト本体のそれぞれ他方の端部に設けられて、各前記他方の端部を着脱可能にする係止部と、で構成されていることを特徴とする請求項１に記載の授乳用ブラジャー。
【請求項７】
前記左右のカップ部の中間領域が開閉手段によって開閉可能とされ、
前記左右のカップ部の中間領域における内側には、下縁側に沿って保持ベルト部が形成されており、
前記左右のカップ部の中間領域の上方には、それぞれ一方の着脱部が設けられており、前記左右のカップ部または前記両脇部の下縁側には、前記一方の着脱部に着脱可能な他方の着脱部が設けられていることを特徴とする請求項１に記載の授乳用ブラジャー。
【発明の詳細な説明】
【技術分野】
【０００１】
本発明は、授乳期の産婦の母乳が漏れることを防ぐための母乳パッドを確実に保持し、衣服等の外部に漏れ出すことを防ぐことや、授乳時において露出していない乳房から母乳が漏れ出ること等を確実に防ぎ、授乳しやすい授乳用ブラジャーに関するものである。
【背景技術】
【０００２】
授乳期の産婦は、母乳の漏れを防ぐために母乳パッドを仮止めテープなどによりブラジャーの内側に接着するようにして使用している。
しかし、このように母乳パッドをブラジャーの内側に仮止めテープにより接着しても、産婦の動きや産婦の姿勢によってブラジャーの中で母乳パッドが正しい位置からずれてしまうことが生じる。
また産婦が、授乳するためにブラジャーを開いて、授乳のために一方のカップ部から乳房を露出する際に、逆側のカップ部も開いてしまう。このために、授乳中に逆側の乳房の乳首部から逆側のカップ部がはずれてしまうことに伴って母乳パッドがはずれてしまい、逆側の乳房から母乳が漏れ出してしまうことがあった。
このような母乳パッドを取り付けるブラジャーの構造が、幾つか提案されている（たとえば特許文献１、特許文献２、特許文献３参照）。
【０００３】
【特許文献１】実用新案登録第３００６３８７号公報（第２頁、第２図）
【特許文献２】実公平３−３５２５号公報（第１頁ないし第２頁、第２図）
【特許文献３】実開昭６０−１３２７３６号公報（第１頁、第１図）
【発明の開示】
【発明が解決しようとする課題】
【０００４】
ところが、このような従来の母乳パッドを取り付けるブラジャーの構造では、母乳パッドは左右のカップ部の内側に確実に保持することができなかった。
すなわち、特許文献１では、母乳漏れ防止パッドが保持用のゴムひもによりブラジャーのカップ部の内面側に保持されているだけである。このために、授乳期の産婦の動作や姿勢によっては、母乳パッドがブラジャーの内部で正しい位置から簡単にずれてしまう。さらに、漏れ出た母乳はそのまま外部となる衣服等に漏れ出してしまう。
また特許文献２や特許文献３では、母乳パッドがブラジャーのカップ部の内部にある単純な形状のポケットに挟まっているだけであるので、母乳パッドがブラジャーの内部で正しい位置から簡単にずれてしまう。
このように、授乳期の産婦が母乳の漏れを防ぐため使用している母乳パッドは、産婦の動作や姿勢によりずれてしまい、結果的に衣服等に漏れ出してしまう恐れがある。
【０００５】
また特許文献１および特許文献２のいずれにおいても、ブラジャーの左右のカップ部は、互いにファスナーにより単純に止める構造である。従って、産婦が授乳をしようとする場合に、一方のカップ部を開いて乳房を露出させた状態では、逆側の乳房のカップ部も当然に開いてしまい、逆側の乳房が露出してしまう。その結果、逆側の乳房には母乳パッドが当たっておらず、逆側の乳房から母乳が漏れ出ることが生じてしまう。なお、特許文献３においても、一方のカップ部をめくるように開いた際に、他方のカップ部も同時に開いてしまう恐れがある。
【０００６】
そこで本発明は上記課題を解消し、授乳期の産婦が母乳の漏れを防ぐために使用する母乳パッドを確実に保持して、外部に母乳が漏れ出すことを防止することができ、１つのカップ部を開いて乳房を露出して授乳している最中に、逆側の乳房を別のカップ部により確実に覆うことにより、逆側の乳房から母乳が漏れ出ることを防ぐことができる授乳用ブラジャーを提供することを目的としている。
【課題を解決するための手段】
【０００７】
上記目的は、第１の発明によれば、乳房に当接する左右のカップ部と、前記左右のカップ部からそれぞれ側方に延伸された両脇部と、前記左右のカップ部から上方に延伸されて、背面において前記両脇部と一体化された肩紐部と、を有する授乳用ブラジャーであって、装着した状態で前記左右のカップ部が前記乳房を露出可能に構成されて、前記左右のカップ部の内面には、母乳パッドを保持するための母乳パッドの保持部が形成されており、前記母乳パッドの保持部は、前記左右のカップ部の内面部と、下端が前記左右のカップ部の内面部に固定されており、上端が自由端とされて、中央部が下方に突出した湾曲状のポケット部と、により構成されていることを特徴とする授乳用ブラジャーにより、達成される。
【０００８】
第１の発明の構成によれば、授乳用ブラジャーを装着した状態では、左右のカップ部は乳房を露出可能となっている。左右のカップ部の内面には、母乳パッドを保持するための母乳パッドの保持部が形成されている。この母乳パッドの保持部は、左右のカップ部の内面部と湾曲状のポケット部を有している。
湾曲状のポケット部の下端が左右のカップ部の内面側に固定されている。湾曲状のポケット部の上端が自由端とされていて、湾曲状のポケット部の中央部が下方に突出した形状になっている。
【０００９】
これにより、母乳パッドの保持部の湾曲状のポケット部は、母乳パッドの周縁部である下縁や側縁を確実に覆うように保持して、左右のカップ部の内面部にそれぞれ位置させることができる。このように湾曲状のポケット部は母乳パッドの周縁部を確実に保持することから、母乳パッドの吸収体の部分が湾曲状のポケット部に重ならないようにすることができる。このことから、母乳パッドの吸収体の部分が乳首部から漏れ出た母乳を吸収することを湾曲状のポケット部は妨げない。
また、湾曲したポケット部は、母乳パッドの最も漏れやすい下縁から側縁にかけて母乳パッドを覆うことができる。このことから、母乳が母乳パッドに十分吸収しきれない場合であっても、母乳パッドから漏れ出る母乳は湾曲状のポケット部の存在により止められるので、母乳が衣服に染み出ることを防げる。
【００１０】
第２の発明は、第１の発明の構成において、少なくとも前記湾曲状のポケット部は、吸収性を有していることを特徴とする。
第２の発明の構成では、少なくとも湾曲状のポケット部は吸収性を有している。
これにより、母乳パッドの下縁から側縁にかけて母乳が漏れ出した場合でも、湾曲状のポケット部は、母乳パッドの下縁から側縁にかけて覆って保持しているので、母乳パッドから漏れ出した母乳を吸収性を有する湾曲したポケット部により吸収することができる。このため、母乳パッドから漏れ出した母乳が衣服に染み出ることをより確実に防ぐことができる。
【００１１】
第３の発明は、第１の発明の構成において、前記湾曲状のポケット部の両端部は、前記湾曲状のポケット部の中央部から徐々に高さが低くなるように形成されていることを特徴とする。
第３の発明の構成によれば、湾曲状のポケット部の両端部は、湾曲状のポケット部の中央部から徐々に高さが低くなるように形成されている。
これにより、母乳パッドは、湾曲状のポケット部に対して装着が容易になる。しかも、湾曲状のポケット部の両端部が肌にあたることによる刺激に伴う違和感を減少することができる。
【００１２】
第４の発明は、第１の発明の構成において、前記湾曲状のポケット部は、前記装着状態において外方に位置する外方部と、前記装着状態において内方に位置する内方部とを有しており、前記外方部が、前記内方部に比べて高い位置まで延伸されていることを特徴とする。
第４の発明の構成によれば、湾曲状のポケット部は、外方部と内方部を有している。外方部は、装着状態において外方に位置し、内方部は、装着状態において内方に位置する。この外方部が、内方部に比べて高い位置まで延伸されている。
これにより、湾曲状のポケット部が母乳パッドを保持する保持領域を広くとることができるだけではなく、寝た姿勢で授乳する等、横向きに寝ることの多い産婦にとって、下側になる外方部からの母乳の漏れをさらに確実に防ぐことができる。
【００１３】
第５の発明は、第１の発明の構成において、前記左右のカップ部は、それぞれカップ部本体を有し、前記カップ部本体の内側に前記カップ部の内面層が配置されることで空間が形成されており、前記空間には立体パッドが着脱可能に挿入されていることを特徴とする。
第５の発明の構成によれば、左右のカップ部は、それぞれカップ部本体を有している。カップ部本体の内側には内面層が配置されることにより空間が形成されている。この空間には、立体パッドが着脱可能に挿入されている。
これにより、立体パッドによって、乳房の保護を行うと共に、乳房の形状を美しく見せるだけでなく、乳房の形状に近い形状になるように左右のカップ部の形状を保つことができる。つまり、この立体パッドの存在により、ドーム状になるよう設計された母乳パッドについて、乳房の形状にフィットする形状を維持させることができ、母乳パッドの母乳吸収機能を確実に発揮させることができる。また、立体パッドを着脱可能にすることによって、リラックスしたい就寝時等には立体パッドを外した状態にする等、状況に応じて選択した使用が可能となる。
【００１４】
第６の発明は、第１の発明の構成において、前記左右のカップ部と前記両脇部および前記肩紐部が一体化されており、前記左右のカップ部の中間領域が開閉手段によって開閉可能とされ、前記左右のカップ部の中間領域における内側には、下縁に沿って保持ベルト部が形成されており、前記保持ベルト部は、弾性を有して、それぞれ一方の端部が左右の前記カップ部の中間領域の近傍にそれぞれ固定されている一方のベルト本体と他方のベルト本体と、前記一方のベルト本体と他方のベルト本体のそれぞれ他方の端部に設けられて、各前記他方の端部を着脱可能にする係止部と、で構成されていることを特徴とする。
【００１５】
第６の発明の構成によれば、左右のカップ部と両脇部および肩紐部が一体化されている。左右のカップ部の中間領域は、開閉手段により開閉可能である。左右のカップ部の中間領域内側には、下縁に沿って保持ベルト部が形成されている。この保持ベルト部は、一方のベルト本体と他方のベルト本体と係止部で構成されている。
一方のベルト本体と他方のベルト本体は、弾性を有しており、一方のベルト本体とベルト本体の各一方の端部がそれぞれ左右のカップ部の中間領域の近傍に固定されている。係止部は、一方のベルト本体と他方のベルト本体のそれぞれの他方の端部に設けられていて、一方の端部と他方の端部を着脱可能にする。
これにより、カップ部と両脇部および肩紐部が一体化されており、授乳用ブラジャーはたとえばハーフトップ状の形態を得ることができる。このため授乳用ブラジャーは、フィット性が高く、背中全体から乳房を支えることができるため、着用者である産婦が疲れにくい。
【００１６】
また、左右のカップ部の中間領域を開閉手段によって開いた際に、保持ベルト部が左右のカップ部を連結している。したがって、一方のカップ部を開いて乳房を露出させることにより産婦が授乳を行っている時に、逆側のカップ部が開くことはない。このため逆側のカップ部は逆側の乳房を確実に覆うことができる。従って、授乳中であっても逆側のカップ部は逆側の乳房を覆っており、逆側の乳房から母乳が漏れ出ることが無くなる。
左右のカップ部は、保持ベルト部の一方のベルト本体と他方のベルト本体の他方の端部同士を係止部により連結することにより、一方のベルト本体と他方のベルト本体の弾性力を利用して左右にバランスよく保持することができるだけでなく、中央に係止部があることで係止部の開閉操作も行いやすい。
【００１７】
第７の発明は、第１の発明の構成において、前記左右のカップ部の中間領域が開閉手段によって開閉可能とされ、前記左右のカップ部の中間領域における内側には、下縁側に沿って保持ベルト部が形成されており、前記左右のカップ部の中間領域の上方には、それぞれ一方の着脱部が設けられており、前記左右のカップ部または前記両脇部の下縁側には、前記一方の着脱部に着脱可能な他方の着脱部が設けられていることを特徴とする。
第７の発明の構成によれば、左右のカップ部の中間領域が開閉可能とされて、中間領域の内側には下縁部に沿って保持ベルト部が形成されている。左右のカップ部の中間領域の上方には、一方の着脱部が設けられている。左右のカップ部の下縁側または両脇部の下縁側には、一方の着脱部に着脱可能な他方の着脱部が設けられている。
これにより、産婦が授乳を行う際に、たとえば中央領域を開いて一方のカップ部を開いて乳房を露出させた状態で授乳している時に、一方のカップ部は一方の着脱部と他方の着脱部により確実に開いた状態を維持することができる。授乳中にこの開いた一方のカップ部が動かないので、授乳の妨げになることが無くなる。
このようなことは、他方のカップ部を開いて乳房を露出させて授乳する時であっても同様に他方のカップ部は一方の着脱部と他方の着脱部により確実に開いた状態を維持できる。そして、保持ベルト部によって、開かれたカップ部とは逆側のカップ部が開いてしまい、乳房が露出してしまうことが防がれる。
【発明の効果】
【００１８】
以上説明したように、本発明によれば、授乳期の産婦が母乳の漏れを防ぐために使用する母乳パッドを確実に保持して、母乳が外部に漏れ出すことを防止することができ、１つのカップ部を開いて乳房を露出して授乳している最中に、逆側の乳房を別のカップ部により確実に覆うことにより、逆側の乳房から母乳が漏れ出ることを防ぐことができて、授乳しやすい授乳用ブラジャーとなる。
【発明を実施するための最良の形態】
【００１９】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２０】
第１の実施形態
図１と図２は、本発明の授乳用ブラジャーの好ましい第１の実施形態を示している。
図１は、授乳用ブラジャー１０の正面側から見ており、使用者Ｍに装着した状態の例を示す斜視図である。
図２は、図１の授乳用ブラジャー１０を展開して授乳用ブラジャーの内面側を示した図である。使用者Ｍは授乳期の産婦である。
図１と図２において、授乳用ブラジャー１０は、使用者Ｍの左右の乳房を覆って保持し、しかも母乳の漏れを防ぐための母乳パッド１５０を確実に保持する母乳パッドの保持部１００，１０１を有しているものである。
【００２１】
本発明における授乳用ブラジャーは、図１と図２に示すような前側の両カップ部中央領域で開閉可能とされて、他方の乳房を覆った状態を維持できるブラジャーに限らず、紐状の肩紐とされてカップ部の下側が固定され、上側を係止具から着脱することでカップ部のみが上下方向に開いて乳房を露出可能な紐状の肩紐タイプのブラジャーや、他方の乳房を覆う機能が無く、前側の両カップ部中央領域で開閉することで乳房を露出可能な所謂フロントホックやハーフトップタイプ、バストホルダー（乳帯）タイプ等のブラジャー、ストラップ（肩紐）を外しても使用可能なブラジャー、ブラジャーの下側に衣服部を延伸して形成したブラジャー機能を有するキャミソール等をも含むものである。いずれにしても、本発明の授乳用ブラジャーは、上述したような各種のブラジャーを含み、母乳パッドを確実に取り付けることができる機能を有している。
【００２２】
図１に示すように授乳用ブラジャー１０は、右側のカップ部２０と左側のカップ部２１と、後身頃に当たる両脇部２３と、左右の肩紐部２４，２５が一体化されたものである。
右側のカップ部２０と左側のカップ部２１は、それぞれ対応する乳首を含む乳房を下側から支えるだけでなく、ブラジャー１０を装着した状態で、それぞれの乳房を露出可能になっている。つまり右側のカップ部２０と左側のカップ部２１は、対応する右側の乳房と左側の乳房を覆うようにして保持する。
両脇部２３は、右側のカップ部２０と左側のカップ部２１からそれぞれ側方に延伸して連続して形成されている部分である。肩紐部２４，２５は、右側のカップ部２０と左側のカップ部２１からそれぞれ上方Ｚに延伸されて、使用者Ｍの背面において、両脇部２３に対して一体化されたものである。
【００２３】
図１に示すように使用者Ｍが授乳用ブラジャー１０を装着した状態では、右側のカップ部２０は右側の乳房を露出することができ、左側のカップ部２１は左側の乳房を露出することができる。
上述したように、右側のカップ部２０と左側のカップ部２１と、両脇部２３および肩紐部２４，２５は、好ましくは一体化して形成されており、この授乳用ブラジャー１０は、所謂ハーフトップ状の形状を有しており、感触がよく、吸湿性に優れた伸縮性を有するように、綿やポリエステル等の一面をパイル状として内面に配置している。これによって、授乳用ブラジャー１０の肩紐部２４，２５は比較的幅広に形成されていて、しかも両脇部２３の背面側が広く形成されていることにより背中部分において乳房を支える力が強まるようになっていることから、使用者Ｍが授乳用ブラジャー１０を装着した状態であっても、乳房を全体的に支えることで使用者Ｍは疲れにくく構成されているものである。
図１に示す授乳用ブラジャー１０は、開閉手段３０と保持ベルト部６０および左右の母乳パッドの保持部１００，１０１を有している。
【００２４】
まず開閉手段３０について説明する。
この開閉手段３０は、所謂複数のスナップボタン３１，３２，３３を有している。この開閉手段３０のスナップボタンの数は、図１に示す例では３つを示しているがこの数に限るものではなく、またスナップボタンだけでなく、通常のホックやボタン、面テープ等の係合手段を適宜選択することができる。
スナップボタン３１，３２，３３は、右側のカップ部２０と左側のカップ部２１の中間領域３４を着脱可能に開閉できるようになっている。スナップボタン３１，３２，３３は同じ構造のものである。
【００２５】
図１では、右側のカップ部２０と左側のカップ部２１は、その中間領域３４において開閉手段３０の各スナップボタン３１ないし３３により閉じた状態を示している。図２では、中間領域３４は左右に開いた状態を示している。
図２に示すように、各スナップボタン３１ないし３３は、オス部材３１Ａ，３２Ａ，３３Ａとメス部材３１Ｂ，３２Ｂ，３３Ｂを有している。対応するオス部材とメス部材を着脱可能に嵌めることにより、図１に示すように右側のカップ部２０と左側のカップ部２１は、中間領域３４において連結することができる。
【００２６】
次に、母乳パッドの保持部１００，１０１の構造について、図１と図２および図３を参照しながら説明する。
図３は、図１における授乳用ブラジャー１０の右側のカップ部２０と左側のカップ部２１のＡ−Ａ線における断面構造例を示している。
図１に示す右側のカップ部２０は、図３に示す右側の乳首１１Ａを含む乳房１１を覆って保持する。図１に示す左側のカップ部２１は、図３に示す乳首１１Ｂを含む乳房１２を覆って保持する。右側のカップ部２０と左側のカップ部２１の構造はほぼ同じであるので、図３において共通して図示している。
【００２７】
右側のカップ部２０と左側のカップ部２１は、それぞれカップ本体８０と、内面層８１を有している。カップ本体８０の上縁７１は、縁取り部７０を有している。縁取り部７０は、身体へのフィット性を高める等のために、上側の外周に沿って、授乳用ブラジャー１０に使用される生地よりも伸縮性を有する生地で形成されている。カップ本体８０の下縁２８，２９の中には平ゴム状のアンダーゴム７３が収容されている。このアンダーゴム７３によりカップ本体８０の下縁２８，２９を使用者Ｍのアンダーバスト付近に密着させて、授乳用ブラジャー１０を確実に保持することができる。
【００２８】
カップ本体８０と内面層８１の間には、空間８３が設けられている。この空間８３の中には、所謂立体パッド８４が着脱可能に挿入されている。
この立体パッド８４は、ポリウレタンやポリエステル等をモールド加工することで薄く立体的なドーム状に形成されたものであって、後述する各ポケット部と同等または僅かに大きなの外形寸法を有しており、右側のカップ部２０と左側のカップ部２１のそれぞれのカップ本体８０の空間８３内に配置されることによって、左右のカップ部２０，２１の形状が乳房の形状に近い形状になるように形成することができる。これによって、乳房を保護等できるだけでなく、たとえばドーム状とされている母乳パッド１５０も、より乳房の形状にフィットする形状となり、母乳パッド１５０の機能を確実に発揮させることができる。しかも立体パッド８４を着脱可能としているため、使用シーンに合わせた状態を選択して使用することができる。
【００２９】
図３に示すように内面層８１のさらに内側には、母乳パッド１５０が着脱可能に保持されている。この母乳パッド１５０は、乳首１１Ａもしくは乳首１１Ｂから漏れてくる母乳を吸収するための母乳吸収体の一例である。
図３では、母乳パッド１５０の形状例を示している。母乳パッド１５０は、母乳が漏れないように吸収できる能力があれば、特に材質に限定されず、紙製のものや布製のもの、紙製であっても弾性体等によって変形させたものや、加熱加工によって変形させたもの等、ドーム状に形成されたものを使用者が適宜選択して採用することができる。
図３の母乳パッド１５０は、その表面側には母乳を通さないたとえば樹脂フィルム１５１を有している。このフィルム１５１の表面には接着部１５３が設けられている。この接着部１５３は、図３に示すように内面層８１に対して母乳パッド１５０を仮止めできる程度に接着する機能を有している。
図３に示すように母乳パッド１５０の樹脂フィルム１５１の内面側には、パルプやレーヨン、ポリプロピレン等の繊維と吸水ポリマー等によって構成された吸収体や、液体を透過する表面材等によって構成された母乳の吸収材１５５が形成されている。この吸収材１５５側が図３に示す乳首１１Ａ，１１Ｂに接して、乳首から漏れる母乳を吸収するようになっている。
【００３０】
樹脂フィルム１５１は、上縁１５６、下縁１５７および左右の側縁１５８，１５８を有している。これらの上縁１５６、下縁１５７、側縁１５８は、吸収材１５５の表面材と樹脂フィルム１５１が張り合わされた部分であり、吸収機能を有する吸収材１５５の吸収体が形成されていない部分である。
【００３１】
次に、図１ないし図３を参照しながら、図１に示す母乳パッドの保持部１００，１０１について説明する。
図１と図２の母乳パッドの保持部１００，１０１は、図１における中間領域３４を挟んで左右対称形状になっている。母乳パッドの保持部１００は、右側のカップ部２０の内面側に配置され、母乳パッドの保持部１０１は、左側のカップ部２１の内面側に配置されている。
この母乳パッドの保持部１００は、右側のカップ部２０の図３に示す内面層（内面部の一例）８１と、湾曲状のポケット部２００とにより構成されている。同様にして、もう１つの母乳パッドの保持部１０１は、左側のカップ部２１の図３に示す内面層（内面部の一例）８１と、湾曲状のポケット部２０１とにより構成されている。
【００３２】
図２の例では、母乳パッド１５０の下縁１５７と左右の側縁１５８，１５８が、湾曲状のポケット部２００あるいは湾曲状のポケット部２０１に対して挿入して保持されている。
湾曲状のポケット部２００，２０１の断面構造は、図３に示しており、湾曲状のポケット部２００，２０１は、内部にポケット芯地２１０を有している。ポケット芯地２１０はスポンジ状の材料で形成されており、確実に母乳パッド１５０を抑えるためのコシを持ちつつ、湿気感を感じさせず、洗濯時等に乾きやすいよう保水性のない通気性のよい材料とされている。湾曲状のポケット部２００と湾曲状のポケット部２０１は、その上端２１５が自由端とされており、下端２１６がカップ部２０の内面層８１に対してもしくはカップ部２１の内面層８１に対して固定されている。
【００３３】
図２に示すように、授乳用ブラジャー１０の中心軸ＣＬを中心として右側のポケット部２００と左側のポケット部２０１は左右対称形状を有している。右側のポケット部２００と左側のポケット部２０１は、湾曲状もしくはほぼＵ字型形状を有している。
この湾曲状のポケット部２００，２０１は、外方部２５０と内方部２５１を有している。この外方部２５０は、授乳用ブラジャー１０を装着した状態において、外方に位置する部分であり、内方部２５１は、授乳用ブラジャー１０を装着した状態において内方に位置する部分である。つまり、外方部２５０は両脇部２３側に位置し、内方部２５１は中間領域３４側に位置している。
この湾曲状のポケット部２００，２０１は、外方部２５０の高さＤが内方部２５１の高さｄに比べて大きく設定されるのが好ましい。この高さＤは、外方部２５０の先端から中央部２５２の底部までの高さである。高さｄは、内方部２５１の先端から中央部２５２の底部までの高さである。内方部２５０と外方部２５１は、ポケット部の両端部である。
【００３４】
このように、外方部２５０が、内方部２５１に比べて高い位置までＺ方向に向けて延伸されているので、湾曲状のポケット部２００，２０１が母乳パッド１５０を保持するための保持領域を広くとることができるだけではなく、寝た姿勢で授乳を行うなど横向きに寝ることが多い産婦である使用者Ｍが横向きに寝た際に、下側になる外方部２５１からの母乳の漏れをさらに確実に防ぐことができる。
【００３５】
また図２に示す湾曲状のポケット部２００，２０１の外方部２５０と内方部２５１、すなわち両端部は、湾曲状のポケット部２００，２０１の中央部２５２から徐々に高さが低くなるような三日月状の先細り形状になっている。この高さとは、図３に示す上端２１５から下端２１６の間の長さである。
これにより、母乳パッド１５０は、湾曲状のポケット部２００，２０１に対して装着が容易になる。しかも、湾曲状のポケット部２００，２０１の両端部である内方部２５１と外方部２５０が肌にあたることによる違和感を低減することができる。
【００３６】
上述したような湾曲状のポケット部２００，２０１に対しては、図２に示すようにそれぞれ母乳パッド１５０が着脱可能に矢印Ｓ方向に沿って挿入して保持させることができる。
具体的には、湾曲状のポケット部２００，２０１に対しては、たとえば母乳パッド１５０の下縁１５７と左右の側縁１５８，１５８を挿入するようにして位置させる。この状態では、母乳パッド１５０の吸収材１５５は、直接湾曲状のポケット部２００には覆われないように配置されることが好ましく、ポケット部２００，２０１が湾曲状とされていることで、吸収材１５５を迂回して、母乳パッド１５０の周縁部で保持するよう構成されている。
【００３７】
少なくとも湾曲状のポケット部２００，２０１は、母乳を吸収することができる吸収性を有している。少なくとも湾曲状のポケット部２００，２０１は、母乳を吸収することができるよう、たとえば表側にパイル編みされた生地が使用されている。そして湾曲状のポケット部２００，２０１を含む授乳用ブラジャー１０の材質としては、パイル状の生地で作ることができ、伸縮性を有している。
なお、ポケット部２００，２０１と授乳用ブラジャー１０の材質としては、綿、ポリエステル、ポリウレタン、レーヨン、シルク、テンセル、などの繊維を単一もしくは２種類以上を編みたてしたパイル地、ジャガード、天竺、フライス等を採用できる。
【００３８】
次に、図４を参照しながら、図１に示す保持ベルト部６０について説明する。
図４に示す保持ベルト部６０は、一方のベルト本体３００と他方のベルト本体３０１と、係止部３０３とで構成されている。
一方のベルト本体３００と他方のベルト本体３０１は、ともに弾性を有する材料により作られている平ゴム状の部材であり、違和感を低減し、アンダーゴム７３による保持に影響を与えないよう、アンダーゴム７３よりも僅かに細く、張力（引張時に引き戻す力）も弱い平ゴム状の弾性体が採用されている。図２では、一方のベルト本体３００と他方のベルト本体３０１とオス部材３０４およびメス部材３０５を示している。
【００３９】
図４に示す保持ベルト部６０は、右側のカップ部２０の下縁２８と左側のカップ部２１の下縁２９に沿って形成されている。
一方のベルト本体３００の一方の端部３２１は、図２と図４（Ａ）に示すように下縁２８の中間領域の近傍であって、カップ部２０の下側に位置するように固定されている。他方のベルト本体３０１の一方の端部３３１は、図２と図４（Ａ）に示すように下縁２９の中間領域の近傍であって、カップ部２１の下側に位置するように固定されている。
係止部３０３は、図４（Ａ）に示すようにオス部材３０４とメス部材３０５により構成されている。一方のベルト本体３００の他方の端部３２２にはオス部材３０４が固定されている。他方のベルト本体３０１の他方の端部３３２にはメス部材３０５が固定されている。オス部材３０４とメス部材３０５はそれぞれたとえば成形品により作られている。オス部材３０４の突部３０６が、図４（Ａ）の矢印Ｅ方向にメス部材３０５の穴部３０７に嵌まり込むことにより、図４（Ａ）の離れた状態から図４（Ｂ）の連結状態を構成することができる。
なお、係止部３０３はこの他にも、スナップボタン等のボタンや各種ホック、面テープ等によって構成できる。しかし、面テープやスナップボタン等のように取り外し方向がベルト本体３００，３０１の引っ張り方向と同一のものでは、授乳中に係止が外れてしまう恐れがあるため、突部３０６が形成されているように、係止部３０３は取り外し方向がベルト本体３００，３０１の引っ張り方向と異なる方向のものとされることが好ましい。
【００４０】
図４（Ｂ）に示す状態は、図１における表面側から見た図であるが、図４（Ｃ）は、図４（Ｂ）における矢印Ｆから見た裏面側を示している。つまり図４（Ｃ）の状態では、使用者の肌面が一方のベルト本体３００の他方の端部３２２の被覆部３２３側にあり、この被覆部３２３がオス部材３０４を被覆している。このことから、オス部材３０４が使用者の肌面に直接触れないように被覆部３２３を介在させることができる。メス部材３０５は、他方のベルト本体３０１側の他方の端部３３２の折り返し部分３３３により被覆されている。これによって、係止部３０３のオス部材３０４とメス部材３０５は、使用者の肌面には直接触れないようにすることができ、授乳用ブラジャーを装着した場合に快適性が増す。
【００４１】
図４に示す保持ベルト部６０は、次のような機能を有している。
図１と図２に示す開閉手段３０の各スナップボタン３１ないし３３を外して、右側のカップ部２０と左側のカップ部２１の連結を中間領域３４において外した時に、右側のカップ部２０の下縁２８と左側のカップ部２１の下縁２９が保持ベルト部６０により連結されている状態を維持できる。
これによって、一方のベルト本体３００と他方のベルト本体３０１の他方の端部３２２，３３２同士を係止部３０３で連結することにより、図１の中間領域３４を開放した状態であっても、授乳用ブラジャー１０の左右のカップ部２０，２１を保持することができる。
しかも、各ベルト本体３００，３０１の略中央部に係止部３０３が形成されているため、左右においてバランス良く保持でき、しかも、授乳用ブラジャー１０を着脱する際に、係止部３０３を操作しやすい。
なお、図１に示す保持ベルト部６０の全長の例としては、１３０ｍｍである。
【００４２】
次に、上述した授乳用ブラジャー１０の使用形態について説明する。
図２に示すような授乳用ブラジャー１０の展開した状態から、図１に示すように使用者Ｍが授乳用ブラジャー１０を装着する。この場合には、図１に示す保持ベルト部６０により右側のカップ部２０と左側のカップ部２１は着脱可能に連結するとともに、開閉手段３０のスナップボタン３１ないし３３を用いて、右側のカップ部２０と左側のカップ部２１の中間領域３４を着脱可能に止める。
【００４３】
図４に示す保持ベルト部６０は、既に述べたように一方のベルト本体３００のオス部材３０４に対して他方のベルト本体３０１のメス部材３０５を引っ掛けることにより、図４（Ｂ）と図４（Ｃ）に示すように連結状態を形成することができる。
この連結状態では、係止部３０３のオス部材３０４とメス部材３０５の内面側は、被覆部３２３と被覆部３３３により被覆されていることから、係止部３０３が使用者の肌面に直接触れることが無いので、保持ベルトの係止部３０３があっても不快感が生じない。
【００４４】
図１と図２に示すように、右側のカップ部２０の母乳パッドの保持部１００には母乳パッド１５０が挿入して保持されている。同様にして左側のカップ部２１の母乳パッドの保持部１０１には別の母乳パッド１５０が挿入して保持されている。
図２に示すように母乳パッド１５０の吸収材１５５側が乳房１１，１２側にくるようにし、母乳パッド１５０のたとえば下縁１５７と両側の側縁１５８，１５８が、湾曲状のポケット部２００あるいは湾曲状のポケット部２０１の中央部２５２と外方部２５０および内方部２５１に挿入されて確実に保持することができる。
この場合に、外方部２５０と内方部２５１は先端にいくに従って先細りになっていることから、母乳パッド１５０は外方部２５０と内方部２５１側から中央部２５２に向けて容易に装着することができる。
【００４５】
また、外方部２５０と内方部２５１が先細りになっていることから、使用者Ｍの肌に当たることによる違和感の減少を図ることができる。湾曲状のポケット部２００の外方部２５０、内方部２５１、中央部２５２は、好ましくは母乳パッド１５０の吸収材１５５の領域を避けた周縁部である下縁１５７と両方の側縁１５８，１５８を保持している。
このことから、ポケット部２００が妨げることなく、確実に母乳が母乳パッド１５０の吸収材１５５に吸収される。仮に吸収材１５５が吸収しきれなくなった母乳があふれて湾曲状のポケット部２００側に母乳が伝わってきたとしても、湾曲状のポケット部２００は母乳を吸収できる吸収性材料により作られているので、漏れてきた母乳が衣服側に染み出すことを防ぐことができる。
このように、母乳パッド１５０を確実に保持しつつ、母乳パッド１５０の吸収材１５５における吸収体の領域と湾曲状のポケット部２００，２０１を可能な限り重ならずにすることができ、湾曲状のポケット部２００，２０１の存在によって、母乳パッド１５０の吸収体の部分が母乳を吸収する際の吸収機能を妨げることが無い。そして吸水機能を有する湾曲状のポケット部２００，２０１は、もっとも漏れ出しやすい母乳パッド１５０の下縁１５７から側縁１５８にかけて覆うことができることから、母乳パッド１５０からの母乳の漏れ出しをも湾曲状のポケット部２００，２０１により防ぐことができる。
【００４６】
次に、図５は、使用者Ｍが授乳をさせる様子を示している。この場合には、開閉手段３０のスナップボタン３１，３２，３３の連結を解除することにより、たとえば左側のカップ部２１を手を用いてＲ方向に開くことにより、乳房１２の乳首１２Ａを露出させることができる。
この状態では、保持ベルト部６０が、右側のカップ部２０の下縁２８と左側のカップ部２１の下縁２９を連結したままの状態になっている。この保持ベルト部６０は開閉手段３０が連結した状態では、好ましくは保持ベルト部６０は使用者Ｍの体に締め付けるものではなく張力がゼロの状態を維持している。
【００４７】
このように保持ベルト部６０が右側のカップ部２０の下縁２８と左側のカップ部２１の下縁２９の連結状態を維持しているので、左側のカップ部２１をＲ方向に開いて授乳させている途中であっても、右側のカップ部２０は右側の乳房１１を覆ったままの状態を保持することができる。このことから、右側のカップ部２０内の母乳パッド１５０は位置ずれすることなく、しかも母乳パッド１５０は乳房１１の乳首１１Ａから離れないので、右側の乳房１１からの母乳の漏れを確実に防ぐことができる。
このような授乳の形態は、図５に示すように左側のカップ部２１を開くのとは反対に、右側のカップ部２０を開く場合であっても同様に左側のカップ部２１は乳房１２を覆う状態を保持することから、乳首１２Ａから漏れてくる母乳は左側のカップ部２１の母乳パッド１５０により吸収することができるとともに、左側のカップ部２１の母乳パッド１５０の位置ずれを確実に防ぐことができる。
【００４８】
図６は、一例として左側のカップ部２１の湾曲状のポケット部２０１に対して、使用者Ｍが手で母乳パッド１５０を装着している例を示している。図２に示すように、湾曲状のポケット部２００，２０１は、外方部２５０が内方部２５１に比べて位置が高く設定されており、さらに両端部が先細り形状とされているため、図６に示すように授乳用ブラジャー１０を着用した状態でも母乳パッド１５０を適正な位置に装着しやすい。なお、授乳用ブラジャー１０の着用前の場合には図２に示す展開状態で各ポケット部２００，２０１に母乳パッド１５０を装着した後に授乳用ブラジャー１０を着用してもよい。
【００４９】
第２の実施形態
図７ないし図９は、本発明の授乳用ブラジャーの第２の実施形態を示している。
本発明の第２の実施形態の授乳用ブラジャー１０は、基本的には図１に示す授乳用ブラジャー１０と構造が同じである。そこで、図７に示す授乳用ブラジャー１０の構成要素が、図１に示す授乳用ブラジャー１０の構成要素と同じである場合には、同じ符号を記してその説明を用いる。
【００５０】
図７ないし図９に示す授乳用ブラジャー１０が、図１に示す授乳用ブラジャー１０と異なるのは次の点である。
図７に示す授乳用ブラジャー１０の湾曲状のポケット部４００，４０１の形状と、保持ベルト部３６０の形状が異なる。そして図７に示す授乳用ブラジャー１０は、さらに脱着手段６００を有している。
【００５１】
まず、図７〜図９に示す湾曲状のポケット部４００，４０１は、図１の湾曲状のポケット部２００，２０１とは異なり、湾曲状のポケット部の形状ではあるが、外方部４５０と内方部４５１は中央部４５２から徐々に高さが低くなるように形成されてはおらず、その高さはほぼ外方部４５０、内方部４５１および中央部４５２に関わらずほぼ同じに設定されている。つまりポケット部の全長にわたって、上端から下端までの長さ（高さ）がほぼ同じである。
図９に示すように、保持ベルト部３６０は、ベルト本体３６１とスナップボタンのメス部材３６２を有している。ベルト本体３６１の一方の端部３６３は、右側のカップ部２０の下縁２８の下側に固定されている。スナップボタンのメス部材３６２はベルト本体３６１の自由端である他方の端部３６４に設けられている。
メス部材３６２は、図８に示す下縁２９の内面側のスナップボタンのオス部材３６９に対して着脱可能に連結されている。ベルト本体３６１は、弾性を有している。このように構成されることで、第１の実施の形態における保持ベルト部６０と同様に、一方のカップ部を開いた際に、他方のカップ部が開かれることを防ぐことができる。
【００５２】
図７に示す脱着手段６００は、図８と図９にも示しており、オス部材７００、メス部材７０１、オス部材３１Ａ、メス部材７０３により構成されている。
右側のカップ部２０の脱着手段であるメス部材７０１は、右側のカップ部２０の中間領域３４における上側に位置している。オス部材７００は右側のカップ部２０の下縁２８の表面側に設けられており、左側のカップ部２１の脱着手段であるオス部材３１Ａは、開閉手段３０の上側となるオス部材３１Ａをそのまま使用することができ、メス部材７０３は左側のカップ部２１の下縁２９の表面側に設けられている。
メス部材７０１は、一方の着脱部であり、オス部材７００は他方の着脱部である。
オス部材３１Ａは、一方の着脱部であり、メス部材７０３は他方の着脱部である。
【００５３】
図７に示すメス部材７０１は、ベルト７９０の一端部に設けられており、ベルト７９０の他端部は右側のカップ部２０の中間領域３４における上方内側に固定されている。
たとえば一方の着脱部であるメス部材７０１を、保持用オス部材７０１ａから取り外し、図７か図８に示すようにＫ方向に手で開くことにより、図８に示すように右側の乳房１１を露出させることができ、一方の着脱部であるメス部材７０１は、他方の着脱部であるオス部材７００に対して着脱可能に連結する。
これによって、右側のカップ部２０が開いた状態を保持することができる。この場合には図９に示すように左側のカップ部２１は、左側の乳房１２を覆った状態で保持している。このために、左側のカップ部２１内の母乳パッド１５０の位置ずれが生じることなく、左側の乳房１２からの母乳の漏れを母乳パッド１５０により確実に防ぐことができる。
このようにできるのは、保持ベルト部３６０が、右側のカップ部２０の下縁２８と左側のカップ部２１の下縁２９を連結しているからである。
【００５４】
逆に、図７において一方の着脱部であるオス部材３１ＡをＲ方向に開くことにより、オス部材３１Ａは、他方の着脱部であるメス部材３０７に対して着脱可能に連結する。これによって、左側の乳房１２は、露出した状態を保持することができる一方で、右側のカップ部２０は右側の乳房１１を覆って母乳パッド１５０のずれを防止し、右側の乳房１１からの母乳の漏れを母乳パッド１５０により確実に防ぐことができる。
【００５５】
以上のようにして、右側のカップ部２０あるいは左側のカップ部２１を一方の着脱部と他方の着脱部の連結により開いた状態を固定することができるので、授乳中に開いたカップ部が移動して授乳の妨げになることが無くなるため、片手で開いたカップ部を抑えながら授乳する必要がなく、しっかり乳児を抱いた状態で授乳することができる。
ここでは脱着手段６００はスナップボタンのオス部材とメス部材によるものを示したが、この他にも通常のホックやボタン、面テープ等の係合手段を適宜選定できる。
なお、第１の実施形態の構成要素と、第２の実施形態の構成要素を組み合わせて使用することも勿論可能である。
【００５６】
本発明の授乳用ブラジャーを用いることにより、母乳の漏れの要因である母乳パッドのずれを防ぐことができる。つまり、使用者が日常の動作をしたり或いは授乳中においても或いは就寝時においても、授乳用ブラジャー内の母乳パッドのずれを確実に防ぐことができる。
これによって、乳房から漏れ出す母乳が母乳パッドにより確実に吸収できる。
母乳パッドで吸収された母乳が母乳パッドの保持部側に漏れたとしても、母乳パッドの保持部は母乳の吸収性を有しているので、母乳が衣服に染み出すことを防ぐことができる。
授乳中においては、１つの乳房を露出させた状態であっても、もう１つの乳房はカップ部により確実に覆っておけるので、もう１つの乳房からの母乳の漏れを母乳パッドにより防ぐことができる。
しかも、授乳中に一方のカップ部を開いた際に、開いた状態で固定することができる。
【００５７】
本発明の授乳用ブラジャーは、所謂バストホルダー或いはハーフトップなどと呼ばれている種類であっても含むものである。
湾曲状のポケット部の形状は、上端が自由端であり下端がカップ部の内面側に固定されていて、中央部の下方に突出している形状であれば、図示例に限るものではない。
たとえば図７においては、オス部材７００が右側のカップ部２０の下縁２８に設けられ、オス部材７０３が左側のカップ部２１の下縁２９に設けられている。しかし、これに限らず、オス部材７００は両脇部の下縁に設けてもよく、オス部材７０３は両脇部の下縁に設けてもよい。
第１の実施形態と第２の実施形態に用いられているオス部材とメス部材はその設定位置を反対にしてもよい。
母乳パッドの形状は図示例のものに限らず、他の形状のものを採用してもよい。
【００５８】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００５９】
【図１】本発明の授乳用ブラジャーの好ましい第１の実施形態を示しており、授乳用ブラジャーを使用者が着用している状態を示す斜視図。
【図２】図１の授乳用ブラジャーの開閉手段の連結を解除して展開した状態を示す図。
【図３】図１の授乳用ブラジャーのＡ−Ａ線における断面形状の例の図。
【図４】保持ベルト部の形状例を示す斜視図。
【図５】左側のカップ部を開いて乳房を露出することにより授乳を行う様子を示す図。
【図６】左側のカップ部を開いて内側に母乳パッドを挿入して保持する例を示す図。
【図７】本発明の授乳用ブラジャーの第２の実施形態を示す正面図。
【図８】片方のカップ部を開いてその開いた状態を固定して、乳房を露出して授乳しようとする状態を示す図。
【図９】もう片方のカップ部を開いてその開いた状態を固定し、もう片方の乳房を露出して授乳しようとする状態を示す図。
【符号の説明】
【００６０】
１０・・・授乳用ブラジャー、２０・・・右側のカップ部、２１・・・左側のカップ部、２３・・・両脇部、２４，２５・・・肩紐部、３０・・・開閉手段、６０・・・保持ベルト部、８１・・・内面層（内面部の一例）、１００，１０１・・・母乳パッドの保持部、１５０・・・母乳パッド、２００，２０１・・・湾曲状のポケット部
【図１】
2005163205.tif 000003
【図２】
2005163205.tif 000004
【図３】
2005163205.tif 000005
【図４】
2005163205.tif 000006
【図５】
2005163205.tif 000007
【図６】
2005163205.tif 000008
【図７】
2005163205.tif 000009
【図８】
2005163205.tif 000010
【図９】
2005163205.tif 000011